(57)【要約】 【課題】ＬＮＧの液密性を確保しつつ、現場打ちコンクリートよりも工期を短縮する。【解決手段】本発明に係るＰＣタンク１は、外槽２及び内槽３からなるＬＮＧ貯留のためのタンク本体４と、該タンク本体が載置された基礎版５と、該基礎版の外周に沿ってタンク本体４を取り囲むように立設されたＰＣ防液堤６とで構成するとともに、基礎版５の外周部を、プレキャストセグメント２１を環状に複数配置した上、それらをシース管３１に挿通された周方向のＰＣ鋼材３７を用いて相互に一体化させてなるプレキャスト環状部７で構成し、該プレキャスト環状部の上にＰＣ防液堤６を、該プレキャスト環状部７の内側に、外周部を除く基礎版５の内側領域８をそれぞれ現場打ちコンクリートで構成してある。【選択図】  図１
2014169088.tif 000002
【特許請求の範囲】
【請求項１】
タンク本体と該タンク本体が載置された基礎版と該基礎版の外周に沿って前記タンク本体を取り囲むように立設されたＰＣ防液堤とで構成されたＰＣタンクにおいて、
前記基礎版の外周部を、環状に配置された複数のプレキャストセグメントがそれらに挿通されたＰＣ鋼材で相互に一体化されてなるプレキャスト環状部で構成するとともに、該プレキャスト環状部の上に前記ＰＣ防液堤を現場打ちコンクリートで、該プレキャスト環状部の内側に前記外周部を除く前記基礎版の内側領域を現場打ちコンクリートでそれぞれ構成したことで構成したことを特徴とするＰＣタンク。
【請求項２】
前記プレキャストセグメントを、前記内側領域の周縁における版厚とほぼ同じ厚みになるように形成されたセグメント本体と該セグメント本体の上面であって前記ＰＣ防液堤が立設される側に延設され該ＰＣ防液堤の壁厚とほぼ同じ厚みとなるように形成された壁状接合部とで構成した請求項１記載のＰＣタンク。
【請求項３】
前記壁状接合部をその周方向長さが前記セグメント本体の周方向長さより短くなるように構成することで、前記プレキャストセグメントのうち、相互に隣接する２つのプレキャストセグメントの各壁状接合部を周方向に沿って互いに離間させるとともに該各壁状接合部の間に拡がる離間スペースに前記ＰＣ防液堤の一部として現場打ちコンクリートを充填配置した請求項２記載のＰＣタンク。
【請求項４】
タンク本体と該タンク本体が載置された基礎版と該基礎版の外周に沿って前記タンク本体を取り囲むように立設されたＰＣ防液堤とで構成されたＰＣタンクを構築する方法において、
前記ＰＣ防液堤の立設位置に沿って杭を打設し、
該杭の上に複数のプレキャストセグメントを環状に配置するとともにそれらに挿通されたＰＣ鋼材を緊張して該複数のプレキャストセグメントを相互に一体化させることにより、前記基礎版の外周部となるプレキャスト環状部を構成し、
前記プレキャスト環状部の上に前記ＰＣ防液堤を現場打ちコンクリートで構成するとともに、前記プレキャスト環状部の内側に前記外周部を除く前記基礎版の内側領域を現場打ちコンクリートで構成することを特徴とするＰＣタンクの構築方法。
【発明の詳細な説明】
【技術分野】
【０００１】
本発明は、ＰＣタンク、特に液化天然ガスを貯留するためのＰＣＬＮＧタンク及びその構築方法に関する。
【背景技術】
【０００２】
液化天然ガス（以下、ＬＮＧ）を貯留するにあたり、最近では、敷地の有効利用や大容量化の観点から、外槽及び内槽からなる金属二重殻式ＬＮＧタンクとその周囲に配置される防液堤とを一体化させるとともに、該防液堤をプレストレストコンクリート（以下、ＰＣ）とすることで液密性を確保したＰＣＬＮＧタンクが採用されている。
【０００３】
プレストレストコンクリートからなる防液堤（以下、ＰＣ防液堤）は、周方向及び鉛直方向に沿って挿通されたＰＣ鋼材を介してコンクリートに圧縮力を導入するようになっており、貯留中のＬＮＧがＬＮＧタンクから万一漏出した場合であっても、これを施設内にとどめることができるようになっている。
【０００４】
かかるＰＣ防液堤は、シース管が埋設された状態でコンクリートを現場打設し、該コンクリートに所要の強度が発現した後、シース管に挿通されたＰＣ鋼材を緊張させることでコンクリートに圧縮力を導入するという手順で行われてきた。
【先行技術文献】
【特許文献】
【０００５】
【特許文献１】特開昭６１−８１９７９号公報
【特許文献２】特開２００２−３０８３７７号公報
【特許文献３】特開２００６−２９１５８２号公報
【特許文献４】特開２０１１−１２２３８９号公報
【発明の概要】
【発明が解決しようとする課題】
【０００６】
一方、ＰＣＬＮＧタンクの大規模化に伴う工期短縮の観点から、最近では、現場打ちコンクリートに代えて、プレキャストコンクリートの採用が提案されており、プレキャストセグメントを工場で製作できる分、現場打設の場合よりも工期を短縮することができると期待されている。
【０００７】
しかしながら、ＰＣＬＮＧタンクをプレキャストコンクリート部材で構築するにあたり、該プレキャストコンクリート部材同士の当接部位において高い液密性を確保できるだけの技術が確立されているとは必ずしも言えず、その工事例も未だ国内外で存在しない。
【０００８】
このように、ＰＣＬＮＧタンクを構築するにあたり、プレキャスト工法の採用が検討されているものの、規模が大きくなるにつれて、工期短縮の要請とＬＮＧの液密性確保との両立が難しくなり、それゆえ、現場打ちコンクリートによる従来工法の採用を余儀なくされているのが現状である。
【課題を解決するための手段】
【０００９】
本発明は、上述した事情を考慮してなされたもので、ＬＮＧの液密性を確保しつつ、現場打ちコンクリートよりも工期を短縮することが可能なＰＣタンク及びその構築方法を提供することを目的とする。
【００１０】
上記目的を達成するため、本発明に係るＰＣタンクは請求項１に記載したように、タンク本体と該タンク本体が載置された基礎版と該基礎版の外周に沿って前記タンク本体を取り囲むように立設されたＰＣ防液堤とで構成されたＰＣタンクにおいて、
前記基礎版の外周部を、環状に配置された複数のプレキャストセグメントがそれらに挿通されたＰＣ鋼材で相互に一体化されてなるプレキャスト環状部で構成するとともに、該プレキャスト環状部の上に前記ＰＣ防液堤を現場打ちコンクリートで、該プレキャスト環状部の内側に前記外周部を除く前記基礎版の内側領域を現場打ちコンクリートでそれぞれ構成したことで構成したものである。
【００１１】
また、本発明に係るＰＣタンクは、前記プレキャストセグメントを、前記内側領域の周縁における版厚とほぼ同じ厚みになるように形成されたセグメント本体と該セグメント本体の上面であって前記ＰＣ防液堤が立設される側に延設され該ＰＣ防液堤の壁厚とほぼ同じ厚みとなるように形成された壁状接合部とで構成したものである。
【００１２】
また、本発明に係るＰＣタンクは、前記壁状接合部をその周方向長さが前記セグメント本体の周方向長さより短くなるように構成することで、前記プレキャストセグメントのうち、相互に隣接する２つのプレキャストセグメントの各壁状接合部を周方向に沿って互いに離間させるとともに該各壁状接合部の間に拡がる離間スペースに前記ＰＣ防液堤の一部として現場打ちコンクリートを充填配置したものである。
【００１３】
また、本発明に係るＰＣタンクの構築方法は請求項４に記載したように、タンク本体と該タンク本体が載置された基礎版と該基礎版の外周に沿って前記タンク本体を取り囲むように立設されたＰＣ防液堤とで構成されたＰＣタンクを構築する方法において、
前記ＰＣ防液堤の立設位置に沿って杭を打設し、
該杭の上に複数のプレキャストセグメントを環状に配置するとともにそれらに挿通されたＰＣ鋼材を緊張して該複数のプレキャストセグメントを相互に一体化させることにより、前記基礎版の外周部となるプレキャスト環状部を構成し、
前記プレキャスト環状部の上に前記ＰＣ防液堤を現場打ちコンクリートで構成するとともに、前記プレキャスト環状部の内側に前記外周部を除く前記基礎版の内側領域を現場打ちコンクリートで構成するものである。
【００１４】
本発明に係るＰＣタンク及びその構築方法においては、基礎版と該基礎版の外周に沿って立設されるＰＣ防液堤とを構築するにあたり、基礎版の外周部を、環状に配置された複数のプレキャストセグメントがそれらに挿通されたＰＣ鋼材で相互に一体化されてなるプレキャスト環状部で構成するとともに、該プレキャスト環状部の上にＰＣ防液堤を現場打ちコンクリートで、該プレキャスト環状部の内側に外周部を除く基礎版の内側領域を現場打ちコンクリートでそれぞれ構成してある。
【００１５】
このようにすると、ＰＣ防液堤を構築する際の工程上のクリティカルとなる基礎版の外周部がプレキャスト環状部で構成されるため、ＰＣ防液堤の工事を早期に開始することが可能となる。
【００１６】
すなわち、従来における基礎版の外周部には、ＰＣ鋼材を挿入するためのシース管のうち、周方向のシース管をＰＣ防液堤と同様に埋設するとともに、互いに隣り合うように鉛直方向に沿ってＰＣ防液堤に埋設された２本一組のシース管に接続されるＵ字状のシース管を埋設する必要があるほか、ＰＣタンクがＰＣＬＮＧタンクの場合には、アンカーや底部ヒーター管などを埋設する必要があるため、ＰＣタンクの規模が大きくなればなるほど、基礎版の外周部を構築するのに時間を要する。
【００１７】
しかし、複数のプレキャストセグメントを環状に配置するとともに該複数のプレキャストセグメントをＰＣ鋼材を用いて相互に一体化させることでプレキャスト環状部を構成し、該プレキャスト環状部を基礎版の外周部とすれば、プレキャストセグメントを、シース管をはじめとした上述の各種付属設備が埋設された形で予め工場製作することができるため、現場で必要となる作業が大幅に軽減される。
【００１８】
一方、基礎版及びＰＣ防液堤のうち、プレキャスト化される範囲は、上述したように基礎版とＰＣ防液堤との取合い箇所、つまり基礎版の外周部のみとなるため、液密性の対策が必要となる箇所を最小限にとどめることが可能となり、かくしてＬＮＧその他の貯留液の液密性を確保しつつ、現場打ちコンクリートよりも工期を短縮することが可能となる。
【００１９】
本発明に係るＰＣタンク及びその構築方法においては、ＰＣ防液堤に圧縮力がプレストレスとして予め導入されていることを前提とし、従来通り、必要に応じて周方向及び鉛直方向に沿って配置されたＰＣ鋼材によって適宜プレストレスを導入するものであって、ＰＣタンクとして必要なプレストレス導入とプレキャストセグメントを一体化するために必要なＰＣ鋼材の緊張とは本来的に異なるものであるが、周方向に関しては、同一のＰＣ鋼材を併用する形で行うことが可能である。
【００２０】
プレキャストセグメントは任意に構成することが可能であって、例えば基礎版を構成する内側領域の周縁における版厚を高さとし、ＰＣ防液堤の壁厚を幅とした矩形断面の湾曲部材で構成することも可能であるが、基礎版を構成する内側領域の周縁における版厚とほぼ同じ厚みになるように形成されたセグメント本体と該セグメント本体の上面であってＰＣ防液堤が立設される側に延設され該ＰＣ防液堤の壁厚とほぼ同じ厚みとなるように形成された壁状接合部とで構成したならば、壁状接合部の幅をセグメント本体の幅よりも小さくして壁状接合部の剛性をセグメント本体の剛性よりも小さくすることにより、ＰＣ防液堤を構成する現場打ちコンクリートを打設したとき、その温度応力に追従して壁状接合部が変形する、換言すれば温度応力による現場打ちコンクリートの膨張収縮を壁状接合部が拘束しないように構成することが可能となり、かくしてＰＣ防液堤に温度応力に伴うひび割れが生じるのを抑制することができる。
【００２１】
ここで、タンク本体の設置側から見た場合、プレキャストセグメント同士の当接によって形成される鉛直目地のうち、セグメント本体同士の鉛直目地については基礎版の内側領域で覆われて露出せず、壁状接合部の鉛直目地がわずかに露出するにとどまるため、プレキャストセグメント同士の鉛直目地に必要な液密性確保のための対策は若干の対策で足りる。なお、プレキャストセグメントとＰＣ防液堤あるいは基礎版の内側領域との接合箇所については、いずれも現場打ちコンクリートによる打継ぎとなるため、液密性が問題となる目地は形成されない。
【００２２】
壁状接合部は、その周方向長さをセグメント本体の周方向長さと同じになるようにしてもかまわないが、該周方向長さをセグメント本体の周方向長さより短くなるように構成することで、プレキャストセグメントのうち、相互に隣接する２つのプレキャストセグメントの各壁状接合部を周方向に沿って互いに離間させるとともに該各壁状接合部の間に拡がる離間スペースにＰＣ防液堤の一部として現場打ちコンクリートを充填配置した構成とするならば、壁状接合部の鉛直目地自体が形成されないため、セグメント本体同士の鉛直目地が基礎版で覆われて露出しないことと相俟って、タンク本体の設置側には、プレキャストセグメント同士の当接による鉛直目地が一切形成されないこととなり、かくしてプレキャストセグメント同士の当接によって生じる鉛直目地への液密性対策がさらに軽減され、又は不要となる。
【図面の簡単な説明】
【００２３】
【図１】本実施形態に係るＰＣタンクを示した鉛直断面図。
【図２】本実施形態に係るＰＣタンクのＡ−Ａ線に沿う水平断面図。
【図３】本実施形態に係るＰＣタンクの詳細図であり、(a)はプレキャストセグメントの鉛直断面図、(b)はＢ−Ｂ線方向から見た矢視図。
【図４】プレキャストセグメント同士の当接状況を示した斜視図。
【図５】変形例に係るプレキャストセグメント同士の当接状況を示した斜視図。
【発明を実施するための形態】
【００２４】
以下、本発明に係るＰＣタンク及びその構築方法の実施の形態について、添付図面を参照して説明する。
【００２５】
図１は、本実施形態に係るＰＣタンクを示した鉛直断面図である。同図でわかるように、本実施形態に係るＰＣタンク１は、ＰＣＬＮＧタンクに適用されたものであって、外槽２及び内槽３からなるＬＮＧ貯留のためのタンク本体４と、該タンク本体が載置された基礎版５と、該基礎版の外周に沿ってタンク本体４を取り囲むように立設されたＰＣ防液堤６とで構成してある。
【００２６】
ここで、基礎版５の外周部はプレキャスト環状部７で構成してあり、該プレキャスト環状部の上にＰＣ防液堤６を現場打ちコンクリートで立設してあるとともに、該プレキャスト環状部７の内側には、外周部を除く基礎版５の内側領域８を現場打ちコンクリートで構成してある。
【００２７】
プレキャスト環状部７は図２でよくわかるように、複数のプレキャストセグメント２１を環状に配置して構成してある。プレキャスト環状部７の周方向に沿った分割数、換言すればプレキャストセグメント２１の連結個数は、本実施形態では説明の便宜上、１６としてあるが、これらの分割数や連結個数は、ＰＣタンク１の規模に応じて適宜定めればよく、例えば４〜３２の範囲で設定することが可能である。
【００２８】
プレキャストセグメント２１は、周方向に沿って列状に連結したとき、それらの連続内面が円筒内面を、連続外面が円筒外面をそれぞれ形成するよう、プレキャスト環状部７の内径や外径に基づいて湾曲形成してある。
【００２９】
図３は、プレキャストセグメント２１を詳細に示したものである。同図でわかるように、プレキャストセグメント２１は、基礎版５を構成する内側領域８の周縁の版厚とほぼ同じ厚みになるように形成されたセグメント本体２２と、該セグメント本体の上面であってＰＣ防液堤６が立設される側に延設され該ＰＣ防液堤の壁厚とほぼ同じ厚みとなるように形成された壁状接合部２３とで構成してある。
【００３０】
プレキャストセグメント２１には、ＰＣ防液堤６に互いに隣り合うように鉛直方向に沿って埋設された２本一組のシース管３４，３４に接続されるＵ字状のシース管３２を埋設してあるとともに、セグメント本体２２には、周方向のシース管３１を複数段（同図では４段）にわたって埋設し、壁状接合部２３には、周方向のシース管３３を埋設してある。なお、Ｕ字状のシース管３２は、シース管３４，３４の組数に応じた個数が配置されるが、本実施形態では、説明の便宜上、プレキャストセグメント２１ごとに一つずつ配置するものとした。
【００３１】
壁状接合部２３は、その周方向長さがセグメント本体２２の周方向長さより短くなるように構成することで、相互に隣接する２つのプレキャストセグメント２１，２１の各壁状接合部２３，２３を周方向に沿って互いに離間させるとともに、該各壁状接合部の間に拡がる離間スペースにＰＣ防液堤６の一部として現場打ちコンクリートを充填配置してある。
【００３２】
本実施形態に係るＰＣタンク１は、このようなプレキャストセグメント２１を環状に複数配置した上、それらをシース管３１に挿通された周方向のＰＣ鋼材３７を用いて相互に一体化させてあるとともに、ＰＣタンクとして必要な周方向のプレストレスについては、上述のＰＣ鋼材３７とシース管３３に挿通された周方向のＰＣ鋼材３８を介してプレキャスト環状部７及びその周辺部位に圧縮力として導入してある。
【００３３】
ＰＣ鋼材３７は、上述したように複数段に配置されたものであって、全体としては、プレキャストセグメント２１を相互に一体化させる役割と通常のプレストレスを導入するための役割の両方を担うが、それぞれが両役割を兼用するようにしてもよいし、個別に役割分担させる、例えば、埋設高さ位置に応じて、相互に一体化させる役割を果たすものと通常のプレストレスを導入するためのものに分けるようにしてもかまわない。
【００３４】
ＰＣ防液堤６については、ＰＣタンクとして必要なプレストレスを、周方向についてはＰＣ鋼材３７，３８と同様のＰＣ鋼材（図示せず）を用いて、鉛直方向についてはシース管３４，３４及びシース管３２に挿通された鉛直方向のＰＣ鋼材３６を用いてそれぞれ、従来と同様に圧縮力として導入すればよい。
【００３５】
本実施形態に係るＰＣタンク１を構築するには、まず、ＰＣ防液堤６の立設位置に沿って杭３５（図３(a)）を打設し、次いで、該杭の上にプレキャストセグメント２１を環状に複数配置する。
【００３６】
次に、周方向に挿通されたＰＣ鋼材３７を緊張することにより、プレキャストセグメント２１同士を互いに一体化させて基礎版５の外周部となるプレキャスト環状部７を構築する。
【００３７】
次に、壁状接合部２３，２３の間に拡がる離間スペースに現場打ちコンクリートを充填してＰＣ防液堤６の一部としつつ、プレキャスト環状部７の上にＰＣ防液堤６を鉄筋コンクリート体として構築する一方、プレキャスト環状部７の内側に上述した外周部を除く基礎版５の内側領域８を同じく鉄筋コンクリート体として構築する。これら鉄筋コンクリート体は、いずれも現場打ちコンクリートで構成する。
【００３８】
ＰＣ防液堤６を構築するにあたっては、ＰＣタンクとして必要なプレストレスを、周方向についてはＰＣ鋼材３７，３８と同様のＰＣ鋼材（図示せず）を用いて、鉛直方向についてはシース管３４，３４及びシース管３２に挿通された鉛直方向のＰＣ鋼材３６を用いてそれぞれ圧縮力として適当な時期に導入するが、これらプレストレス導入については従来と同様であるので、ここでは詳細な説明を省略する。
【００３９】
プレキャスト環状部７とＰＣ防液堤６との間、及びプレキャスト環状部７と基礎版５の内側領域８との接合面においては、それらの間でせん断力が十分な程度に伝達されるよう、ＰＣ防液堤６や基礎版５の内側領域８が接合される側においてプレキャストセグメント２１から補強筋（図示せず）を適宜突出させるとともに、該補強筋が埋設されるようにＰＣ防液堤６や基礎版５の内側領域８を施工する。
【００４０】
これらの鉄筋工事及びコンクリート工事については、プレキャスト部材と現場打ちコンクリートとを接合する際に従来から行っている一般的な施工内容に準じて適宜行えばよい。
【００４１】
図４は、プレキャスト環状部７を構成するプレキャストセグメント２１同士の当接状況を、ＰＣ防液堤６と基礎版５の内側領域８との位置関係とともに示したものである。同図でわかるように、プレキャストセグメント２１，２１は、セグメント本体２２，２２の当接箇所で形成される鉛直目地４１を介して互いに当接しているが、該鉛直目地は、基礎版５の内側領域８で覆われるため、タンク本体４の設置側には露出しない。
【００４２】
以上説明したように、本実施形態に係るＰＣタンク１及びその構築方法によれば、シース管をはじめ、アンカー、底部ヒーター管といった各種付属設備については、従来であれば、基礎版の外周部を現場打ちコンクリートによる鉄筋コンクリート体として構築する際に鉄筋等とともにコンクリート打設空間に配置しなければならず、それがＰＣ防液堤を構築する際の工程上のクリティカルとなっていたところ、プレキャストセグメント２１に埋設される形で、取付けや配置を先行して行うことができるため、ＰＣ防液堤６の工事を早期に開始することが可能となる一方、基礎版５及びＰＣ防液堤６のうち、プレキャスト化される範囲は、基礎版５とＰＣ防液堤６との取合い箇所、つまり基礎版５の外周部のみであるため、液密性の対策が必要となる箇所を最小限にとどめることが可能となり、かくしてＬＮＧその他の貯留液の液密性を確保しつつ、現場打ちコンクリートよりも工期を短縮することが可能となる。
【００４３】
また、本実施形態に係るＰＣタンク１によれば、プレキャストセグメント２１を、基礎版５を構成する内側領域８の周縁の版厚とほぼ同じ厚みになるように形成されたセグメント本体２２と該セグメント本体の上面であってＰＣ防液堤６が立設される側に延設され該ＰＣ防液堤の壁厚とほぼ同じ厚みとなるように、換言すればセグメント本体２２よりも幅が小さくなるように形成された壁状接合部２３とで構成するとともに、壁状接合部２３をその周方向長さがセグメント本体２２の周方向長さより短くなるように構成することで、相互に隣接する２つのプレキャストセグメント２１，２１の各壁状接合部２３，２３を周方向に沿って互いに離間させるとともに該各壁状接合部の間に拡がる離間スペースにＰＣ防液堤６の一部として現場打ちコンクリートを充填配置するようにしたので、壁状接合部２３の剛性がセグメント本体２２の剛性よりも小さくなり、ＰＣ防液堤６を構成する現場打ちコンクリートを打設したとき、その温度応力に追従して壁状接合部２３が変形する、換言すれば温度応力に起因したＰＣ防液堤６構築時の膨張収縮を壁状接合部２３が拘束しないこととなり、かくしてＰＣ防液堤６に温度応力に伴うひび割れが生じるのを十分に抑制することができる。
【００４４】
また、タンク本体４の設置側から見た場合、プレキャストセグメント２１，２１同士の当接によって形成される鉛直目地、本実施形態ではセグメント本体２２，２２同士の鉛直目地は、基礎版５の内側領域８で覆われて露出しない。
【００４５】
したがって、プレキャストセグメント２１，２１同士の当接によって生じる目地に対し、液密性確保の対策が大幅に軽減され、又は不要となる。
【００４６】
本実施形態では、壁状接合部２３をその周方向長さがセグメント本体２２の周方向長さより短くなるように構成したが、壁状接合部２３に代えて図５に示すように、周方向長さがセグメント本体２２の周方向長さと同等の壁状接合部２３ｂとし、該壁状接合部とセグメント本体２２とからなるプレキャストセグメント２１ｂでプレキャスト環状部を構成するようにしてもかまわない。
【００４７】
かかる構成においては、同図に示すように、壁状接合部２３ｂ，２３ｂ同士の当接によって生じる鉛直目地５１が、タンク本体４の設置側にわずかに露出するものの、液密性確保の対策が概ね軽減されることに変わりはない。
【００４８】
また、本実施形態では、プレキャストセグメント２１を、セグメント本体２２及び壁状接合部２３で構成したが、ＰＣ防液堤６を構築する際にそれを構成する現場打ちコンクリートの膨張収縮が拘束されず、該ＰＣ防液堤に温度ひび割れが生じる懸念がないのであれば、プレキャストセグメント２１に代えて、壁状接合部２３を省略し、セグメント本体２２のみからなるプレキャストセグメントで構成するようにしてもよい。
【符号の説明】
【００４９】
１            ＰＣタンク
４            タンク本体
５            基礎版
６            ＰＣ防液堤
７            プレキャスト環状部（基礎版の外周部）
８            基礎版の内側領域
２１，２１ｂ    プレキャストセグメント
２２            セグメント本体
２３，２３ｂ    壁状接合部
３１，３２，３３，３４  シース管
３６，３７，３８        ＰＣ鋼材
【図１】
2014169088.tif 000003
【図２】
2014169088.tif 000004
【図３】
2014169088.tif 000005
【図４】
2014169088.tif 000006
【図５】
2014169088.tif 000007